(57)【要約】【課題】本考案は、ロッドアンテナを有するアンテナ基台内に増幅器を設け、受信信号を直接増幅して受信機のアンテナに供給することにより、ワンセグ等を鮮明に受信することを目的とする。【解決手段】本考案による増幅器付地上波デジタルテレビ放送用受信アンテナは、ロッドアンテナ(2)を有するアンテナ基台(1)内に設けられた信号増幅器(3)と、前記アンテナ基台(1)に第１接続コード(5)、スイッチ(6)及び第２接続コード(7)を介して接続されたアンテナ接続部(8)と前記スイッチ(6)に第３接続コード(9)を介して接続された電源接続体(11)とを備え、前記アンテナ接続部(8)をデジタルテレビ受信機(15)のアンテナ(12)に接続する構成である。【選択図】図１
0003129073.tif 000002
【実用新案登録請求の範囲】
【請求項１】
アンテナ基台(1)に設けられたロッドアンテナ(2)と、前記アンテナ基台(1)に内蔵された信号増幅器(3)と、前記アンテナ基台(1)に第１接続コード(5)を介して接続されたスイッチ(6)と、前記スイッチ(6)に第２接続コード(7)を介して接続されたアンテナ接続部(8)と、前記スイッチ(6)に第３接続コード(9)を介して接続された電源接続体(11)とを備え、  前記ロッドアンテナ(2)からの受信信号は前記アンテナ基台(1)内の前記信号増幅器(3)により増幅され、前記第１接続コード(5)、スイッチ(6)、第２接続コード(7)及びアンテナ接続部(8)を介してデジタルテレビ受信機(15)のアンテナ(12)又は受信信号入力部に入力される構成としたことを特徴とする増幅器付地上波デジタルテレビ放送用受信アンテナ。
【請求項２】
前記スイッチ(6)は、前記電源接続体(11)から前記信号増幅器(3)への電源供給のオン／オフを行うことを特徴とする請求項１記載の増幅器付地上波デジタルテレビ放送用受信アンテナ。
【請求項３】
前記電源接続体(11)は、ＵＳＢプラグ(10)からなることを特徴とする請求項１又は２記載の増幅器付地上波デジタルテレビ放送用受信アンテナ。
【請求項４】
前記アンテナ接続部(8)は、導電性クリップ(8a)からなることを特徴とする請求項１ないし３の何れかに記載の増幅器付地上波デジタルテレビ放送用受信アンテナ。
【請求項５】
前記デジタルテレビ受信機(15)は、固定式地上波デジタル放送受信機よりなることを特徴とする請求項１ないし４の何れかに記載の増幅器付地上波デジタルテレビ放送用受信アンテナ。
【請求項６】
前記デジタルテレビ受信機(15)は、モバイル地上波デジタル放送用受信機よりなることを特徴とする請求項１ないし４の何れかに記載の増幅器付地上波デジタルテレビ放送用受信アンテナ。
【請求項７】
前記アンテナ基台(1)には、マグネット式接続部材(1A)が設けられていることを特徴とする請求項１ないし６の何れかに記載の増幅器付地上波デジタルテレビ放送用受信アンテナ。
【考案の詳細な説明】
【技術分野】
【０００１】
本考案は、増幅器付地上波デジタルテレビ放送用受信アンテナに関し、特に、ロッドアンテナを有するアンテナ基台内に増幅器を設け、ロッドアンテナからの受信信号を直接増幅し、接続コード及びアンテナクリップを介してデジタルテレビ受信機のアンテナに入力し、受信状態を安定化させるための新規な改良に関する。
【背景技術】
【０００２】
従来、用いられていたこの種のワンセグテレビ用アンテナとしては、特に文献名は挙げていないが、ワンセグ用のデジタルテレビ受信機及びワンセグテレビ受信機能を有するモバイル地上波デジタル放送用受信機２０においては、伸縮自在なアンテナ１２を有する図５の構成が採用されている。
【考案の開示】
【考案が解決しようとする課題】
【０００３】
従来のロッドアンテナを用いたワンセグ用のデジタルテレビ受信機及びワンセグテレビ受信機能を有するモバイル地上波デジタル放送用受信機は、以上のように構成されていたため、次のような課題が存在していた。
すなわち、地上波デジタル放送の基地局及び中継局は、現在のところ、まだ数が少なく、東京２３区内での受信状態は良好であるが、東京２３区以外の受信エリアでは１００％の受信状態を得ることは難しく、次のような問題があった。
１、車等の移動中においては、付属の伸縮自在のアンテナだけでは、満足な映像を受信することができないことがあり、受信不能のコメントが画面に表示されたり、又は、画面が止まることがあった。
２、車種によっては外部からの電波の侵入を遮断する成分を含んだガラスを使用している車もあり、その場合は、例え停車中であっても、十分な受信状態を得ることは困難となることもあった。
３、また、家の中での受信でも、電波が届きにくい部屋及びこの部屋の中の一部の場所では受信が難しく、窓側に行かなければ受信できないこともあり、部屋によっては全く受信できないこともあった。
【課題を解決するための手段】
【０００４】
本考案による増幅器付地上波デジタルテレビ放送用受信アンテナは、アンテナ基台に設けられたロッドアンテナと、前記アンテナ基台に内蔵された信号増幅器と、前記アンテナ基台に第１接続コードを介して接続されたスイッチと、前記スイッチに第２接続コードを介して接続されたアンテナ接続部と、前記スイッチに第３接続コードを介して接続された電源接続体とを備え、前記ロッドアンテナからの受信信号は前記アンテナ基台内の前記信号増幅器により増幅され、前記第１接続コード、スイッチ、第２接続コード及びアンテナ接続部を介してデジタルテレビ受信機のアンテナ又は受信信号入力部に入力される構成であり、また、前記スイッチは、前記電源接続体から前記信号増幅器への電源供給のオン／オフを行う構成であり、また、前記電源接続体は、ＵＳＢプラグからなる構成であり、また、前記アンテナ接続部は、導電性クリップからなる構成であり、また、前記デジタルテレビ受信機は、固定式地上波デジタル放送受信機よりなる構成であり、また、前記デジタルテレビ受信機は、モバイル地上波デジタル放送用受信機よりなる構成であり、また、前記アンテナ基台には、マグネット式接続部材が設けられている構成である。
【考案の効果】
【０００５】
本考案による増幅器付地上波デジタルテレビ放送用受信アンテナは、以上のように構成されているため、次のような効果を得ることができる。
すなわち、ロッドアンテナを有するアンテナ基台内に信号増幅器が内蔵されているため、ロッドアンテナで受信した比較的微弱なワンセグ等の受信信号をリード線やコード等を介することなく直接増幅することができるため、前記受信信号のゲインを減衰させることなく増幅してデジタルテレビ受信機のアンテナ又は受信信号入力部に対し、高ゲインの受信信号として供給することができ、微弱な電界強度の環境でも安定した画像の受信を行うことができる。
また、アンテナ基台と電源接続体との間にスイッチが設けられているため、電界強度が強く、十分な受信状態を得ることができる場合には、スイッチによって信号増幅器の作動をオフとすることができ、消費電力を少なくすることができる。
また、アンテナ接続部が導電性クリップであるため、全ての種類のデジタルテレビ受信機のアンテナに接続することができる。
また、電源は、ＵＳＢプラグ又はシガープラグを用いることができるため、パソコン又は車から容易に得ることができる。
【考案を実施するための最良の形態】
【０００６】
本考案は、ロッドアンテナを有するアンテナ基台内に信号増幅器を設け、ロッドアンテナからの受信信号を直接増幅し、接続コード及びアンテナクリップを介してデジタルテレビ受信機のアンテナに入力し、受信状態を安定化させるようにした増幅器付地上波デジタルテレビ放送用受信アンテナを提供することを目的とする。
【実施例】
【０００７】
以下、図面と共に本考案による増幅器付地上波デジタルテレビ放送用受信アンテナの好適な実施の形態について説明する。
図１において符号１で示されるものは、ロッドアンテナ２を有するアンテナ基台であり、このアンテナ基台１内には信号増幅器３が設けられ、前記ロッドアンテナ２で受信されたワンセグデジタル信号又は地上波デジタルテレビ信号等の受信信号はリード線やコード等を介することなく直接前記信号増幅器３に入力されてゲインの増幅がされるように構成されている。尚、このアンテナ基台１の裏面にはマグネット式接続部材１Ａが設けられ、このマグネット式接続部材１Ａによりアンテナ基台１を車等の任意の場所に着脱自在とすることができる。また、アンテナ基台１の前記マグネット式接続部材１Ａの代りに図示しないクリップを設け、このクリップを用いてアンテナ基台１を部屋の窓枠等に取付けることができる。
【０００８】
前記ロッドアンテナ２は、前記アンテナ基台１に設けた軸支部４を介して矢印Ａの角度範囲において回動自在に設けられ、受信時に、受信状態の調整が出来るように構成されている。
【０００９】
前記アンテナ基台１には、第１接続コード５を介してスイッチ６が接続され、このスイッチ６には、第２接続コード７を介してアンテナ接続部８（図３、図４に特に示す）が接続されていると共に、第３接続コード９を介してＵＳＢプラグ１０からなる電源接続体１１が接続されている。
尚、この電源接続体１１は、ＵＳＢプラグ１０に限ることなく、シガープラグ（図示せず）でも可能である。尚、スイッチ６内には、ＵＳＢプラグ１０でもシガープラグでも信号増幅器３に一定の電圧が供給できるように、自動電圧調整手段（図示せず）を内蔵している。
【００１０】
前記アンテナ接続部８は、例えば、図示されている導電性クリップ８ａをモバイルテレビ等のデジタルテレビ受信機１５のアンテナ１２にクリップさせる場合、図示しない導電性キャップ８ｂを前記アンテナ１１の先端に嵌合させる場合、図示しない同軸型接栓８ｃを、前記デジタルテレビ受信機１５の受信信号入力部（図示せず）に接続することにより、前記信号増幅器３で増幅した受信信号をデジタルテレビ受信機１５に入力することができる。
【００１１】
前記デジタルテレビ受信機１５としては、ワンセグのデジタルテレビ部２１が設けられた図５のモバイル地上波デジタル放送用受信機（ワンセグ受信専用機も含む）２０、図示しない固定式地上波デジタル放送受信機等を適用することができる。
【００１２】
次に、動作について述べる。まず、前記アンテナ接続部８をデジタルテレビ受信機１５のアンテナ１２に接続した後、電源接続体１１を図示しないＵＳＢジャックに接続し、スイッチ６をオンとすると、前記信号増幅器３が作動し、前記ロッドアンテナ２から入力したワンセグ又は地上波デジタル放送の受信信号は、信号増幅器３で増幅され、第１接続コード５、スイッチ６、第２接続コード７及びアンテナ接続部８を介して前記アンテナ１２に入力されてデジタルテレビ受信機１５で鮮明に映像が受信される。尚、一般に、地上波デジタル放送の電波は従来のアナログ放送と信号処理方法が違うため、テレビ受信機とのアンテナ配線の整合性がクリップからなるアンテナ接続部８等で不整合でも、従来のアナログ放送のように反射波等の時間差で画像が２重、３重と多重に映ることなく安定して受信することができる。
【図面の簡単な説明】
【００１３】
【図１】本考案による増幅器付地上波デジタルテレビ放送用受信アンテナを示す構成図である。
【図２】図１のロッドアンテナを示す側面図である。
【図３】図１のアンテナ接続部を示す正面図である。
【図４】図３のアンテナ接続部を示す側面図である。
【図５】図１のデジタルテレビ受信機の他の形態を示す斜視図である。
【符号の説明】
【００１４】
１    アンテナ基台
２    ロッドアンテナ
３    増幅器
４    軸支部
５    第１接続コード
６    スイッチ
７    第２接続コード
８    アンテナ接続部
８ａ    導電性クリップ
８ｂ    導電性キャップ
８ｃ    同軸型接栓
９    第３接続コード
１０    ＵＳＢプラグ
１１    電源接続体
１２    アンテナ
１５    デジタルテレビ受信機
２０    モバイル地上波デジタル放送用受信機
２１    デジタルテレビ部
【図１】
0003129073.tif 000003
【図２】
0003129073.tif 000004
【図３】
0003129073.tif 000005
【図４】
0003129073.tif 000006
【図５】
0003129073.tif 000007